【手続補正書】
【提出日】平成24年2月28日(2012.2.28)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列された、第１リール、第２リール、および第３リールと、
通常小役および複数種類の特殊小役の当否を決定する内部抽選を行う内部抽選手段と、
前記第１リール、第２リール、および第３リールを遊技毎に回転させるとともに、停止操作を契機として、前記内部抽選の結果に応じた態様で各リールを停止させ、停止操作の時点で入賞判定ラインに対して所定の引き込み範囲内に内部抽選で当選した役の入賞形態を示す図柄組合せを構成する図柄が存在する場合に、当該図柄を入賞判定ライン上に表示させるように、当該停止操作に対応するリールを停止させる制御を行うリール制御手段と、
前記第１リール、前記第２リール、および前記第３リールの全てが停止した状態で、役毎に予め定められた入賞形態を示す図柄組合せが入賞判定ライン上に表示されたことに基づいて、役が入賞したと判定する入賞判定手段と、
前記通常小役あるいは前記特殊小役の入賞に伴って、払出装置に遊技媒体を払い出させる制御を行う払出制御手段とを備えた遊技機であって、
前記第１リールおよび前記第３リールの外周面には、複数種類の特殊図柄が配列されているとともに、前記第１リール、前記第２リール、および前記第３リールの各々の外周面には、通常小役図柄が配列されており、
前記複数種類の特殊図柄は、互いに前記引き込み範囲内に存在することがないように離間され、かつ前記第１リールの停止操作および前記第３リールの停止操作の各停止操作のタイミングに関わらずに、いずれか１種類の特殊図柄を入賞判定ライン上に表示させることができるように前記第１リールおよび前記第３リールの外周面に配列されており、
前記通常小役図柄は、前記第１リール、前記第２リール、および前記第３リールの各々の停止操作のタイミングに関わらずに、入賞判定ライン上に表示させることができるように各リールの外周面に配列されており、
前記複数種類の特殊小役の入賞形態を示す図柄組合せの各々は、前記複数種類の特殊図柄のうち同じ種類あるいは異なる種類の２つの特殊図柄の一方を第１リールの表示図柄として含むとともに他方を第３リールの表示図柄として含み、
前記複数種類の特殊小役の入賞形態を示す図柄組合せの各々における第２リールの表示図柄は、前記第２リールの停止操作のタイミングに関わらずに、入賞判定ライン上に表示させることができるように前記第２リールの外周面に配列されており、
前記通常小役の入賞形態を示す図柄組合せは、前記通常小役図柄を、第１リールの表示図柄、第２リールの表示図柄、および第３リールの表示図柄として含み、
前記内部抽選手段が、
入賞形態を示す図柄組合せにおいて第１リールの表示図柄が共通するとともに第３リールの表示図柄が互いに異なる２種類以上の前記特殊小役が前記通常小役と重複して当選し、入賞形態を示す図柄組合せにおいて第１リールの表示図柄が互いに異なるとともに第３リールの表示図柄が共通する２種類以上の前記特殊小役が前記通常小役と重複して当選するように内部抽選を行い、
前記リール制御手段が、
入賞形態を示す図柄組合せにおいて第１リールの表示図柄が共通するとともに第３リールの表示図柄が互いに異なる２種類以上の前記特殊小役が前記通常小役と重複して当選した遊技では、
前記第１リールの停止操作が、前記第２リールおよび前記第３リールの停止操作に先立って行われる場合、前記第２リールおよび前記第３リールの停止操作の態様に関わらず、当選した特殊小役あるいは通常小役のいずれかが入賞するように各リールを停止させ、
前記第３リールの停止操作が、前記第１リールおよび前記第２リールの停止操作に先立って行われる場合、前記第１リールの停止操作の時点で所定の引き込み範囲内に当選した特殊小役に対応する特殊図柄が存在することを条件に、当選した特殊小役のいずれかが入賞するように各リールを停止させ、
入賞形態を示す図柄組合せにおいて第１リールの表示図柄が互いに異なるとともに第３リールの表示図柄が共通する２種類以上の前記特殊小役が前記通常小役と重複して当選した遊技では、
前記第１リールの停止操作が、前記第２リールおよび前記第３リールの停止操作に先立って行われる場合、前記第３リールの停止操作の時点で所定の引き込み範囲内に当選した特殊小役に対応する特殊図柄が存在することを条件に、当選した特殊小役のいずれかが入賞するように各リールを停止させ、
前記第３リールの停止操作が、前記第１リールおよび前記第２リールの停止操作に先立って行われた場合、前記第１リールおよび前記第２リールの停止操作の態様に関わらず、当選した特殊小役あるいは通常小役のいずれかが入賞するように各リールを停止させることを特徴とする遊技機。
【請求項２】
請求項１において、
前記複数種類の特殊小役の入賞形態を示す図柄組合せにおける第２リールの表示図柄は、各々の図柄組合せで共通する共通図柄であって、
前記リール制御手段が、
２種類以上の前記特殊小役が前記通常小役と重複して当選した遊技では、前記第２リールの停止操作が、前記第１リールおよび前記第３リールの停止操作に先立って行われた場合、入賞判定ライン上に前記共通図柄が表示されるように前記第２リールを停止させることを特徴とする遊技機。
【請求項３】
請求項１または２において、
前記第１リール、前記第２リール、および前記第３リールに関する停止操作の順序を報知する演出を所定条件下で演出装置に実行させる演出制御手段をさらに備えることを特徴とする遊技機。
【請求項４】
外周面に複数種類の図柄が配列された複数のリールと、
通常小役および複数種類の特殊小役の当否を決定する内部抽選を行う内部抽選手段と、
前記複数のリールを遊技毎に回転させるとともに、停止操作を契機として、前記内部抽選の結果に応じた態様で各リールを停止させる制御を行うリール制御手段と、
前記複数のリールの全てが停止した状態で、役毎に予め定められた入賞形態を示す図柄組合せが入賞判定ライン上に表示されたことに基づいて、役が入賞したと判定する入賞判定手段と、
前記通常小役あるいは前記特殊小役の入賞に伴って、払出装置に遊技媒体を払い出させる制御を行う払出制御手段とを備えた遊技機であって、
前記内部抽選手段が、
前記複数種類の特殊小役のうち２種類以上の特殊小役からなる複数種類の特殊小役群の各々が前記通常小役と重複して当選するように内部抽選を行い、
前記リール制御手段が、
前記複数種類の特殊小役群のいずれかが前記通常小役と重複して当選した遊技では、
前記複数のリールの各リールを停止させるための停止操作の順序が、前記通常小役と重複して当選した特殊小役群の種類に応じた順序である場合、停止操作のタイミングに関わらずに、前記通常小役が入賞するように各リールを停止させ、
前記複数のリールの各リールを停止させるための停止操作の順序が、前記通常小役と重複して当選した特殊小役群の種類に応じた順序と異なる場合、停止操作のタイミングが当選した特殊小役群に含まれる前記特殊小役に応じたタイミングであることを条件に、当選した特殊小役群に含まれる前記特殊小役のいずれかが入賞するように各リールを停止させることを特徴とする遊技機。
【請求項５】
請求項４において、
前記リール制御手段が、
前記複数種類の特殊小役群のいずれかが前記通常小役と重複して当選した遊技では、前記複数のリールの各リールを停止させるための停止操作の順序が、前記通常小役と重複して当選した特殊小役群の種類に応じた順序である場合、停止操作のタイミングに関わらずに、前記通常小役あるいは当選した特殊小役群に含まれる前記特殊小役のいずれかが入賞するように各リールを停止させることを特徴とする遊技機。
【請求項６】
外周面に複数種類の図柄が配列された複数のリールと、
通常小役および複数種類の特殊小役の当否を決定する内部抽選を行う内部抽選手段と、
前記複数のリールを遊技毎に回転させるとともに、停止操作を契機として、前記内部抽選の結果に応じた態様で各リールを停止させる制御を行うリール制御手段と、
前記複数のリールの全てが停止した状態で、役毎に予め定められた入賞形態を示す図柄組合せが入賞判定ライン上に表示されたことに基づいて、役が入賞したと判定する入賞判定手段と、
前記通常小役あるいは前記特殊小役の入賞に伴って、払出装置に遊技媒体を払い出させる制御を行う払出制御手段とを備えた遊技機であって、
前記内部抽選手段が、
前記複数種類の特殊小役のうち２種類以上の特殊小役からなる複数種類の特殊小役群の各々が前記通常小役と重複して当選するように内部抽選を行い、
前記リール制御手段が、
前記複数種類の特殊小役群のいずれかが前記通常小役と重複して当選した遊技では、
前記複数のリールの各リールを停止させるための停止操作の順序が、前記通常小役と重複して当選した特殊小役群の種類に応じた順序である場合、停止操作のタイミングに関わらずに、前記通常小役が入賞するように各リールを停止させ、
前記複数のリールの各リールを停止させるための停止操作の順序が、前記通常小役と重複して当選した特殊小役群の種類に応じた順序と異なる場合、停止操作のタイミングが当選した特殊小役群に含まれる前記特殊小役に応じたタイミングであることに基づいて、当選した特殊小役群に含まれる前記特殊小役のいずれかが入賞するように各リールを停止させ、停止操作のタイミングが当選した特殊小役群に含まれる前記特殊小役に応じたタイミングとは異なることに基づいて、いずれの役も入賞しない態様で各リールを停止させることを特徴とする遊技機。
【請求項７】
請求項４〜６のいずれかにおいて、
前記リール制御手段が、
前記複数種類の特殊小役群のいずれかが前記通常小役と重複して当選した遊技では、
前記複数のリールの各リールを停止させるための停止操作の順序が、前記通常小役と重複して当選した特殊小役群の種類に応じた順序と異なる場合であって、前記複数のリールのうち特定のリールが最初に停止する特定順序では、入賞判定ライン上に表示可能となる当選役の入賞形態を示す図柄組合せの種類が最も多くなるように特定リールの停止位置が決定されて前記特殊小役の入賞形態を構成する図柄を入賞判定ライン上に表示させるように特定リールを停止させることを特徴とする遊技機。
【請求項８】
請求項４〜７のいずれかにおいて、
前記リール制御手段が、
前記複数種類の特殊小役群のいずれかが前記通常小役と重複して当選した遊技では、
前記複数のリールのうち特定のリールが最初に停止する特定順序では、いずれの特殊小役群が当選した場合であっても、前記通常小役と重複して当選した特殊小役群の種類に応じた順序と異なる順序であると判断することを特徴とする遊技機。
【請求項９】
外周面に複数種類の図柄が配列された複数のリールと、
通常小役および複数種類の特殊小役の当否を決定する内部抽選を行う内部抽選手段と、
前記複数のリールを遊技毎に回転させるとともに、停止操作を契機として、前記内部抽選の結果に応じた態様で各リールを停止させる制御を行うリール制御手段と、
前記複数のリールの全てが停止した状態で、役毎に予め定められた入賞形態を示す図柄組合せが入賞判定ライン上に表示されたことに基づいて、役が入賞したと判定する入賞判定手段と、
前記通常小役あるいは前記特殊小役の入賞に伴って、払出装置に遊技媒体を払い出させる制御を行う払出制御手段とを備えた遊技機であって、
前記内部抽選手段が、
前記複数種類の特殊小役のうち２種類以上の特殊小役からなる複数種類の特殊小役群の各々が前記通常小役と重複して当選するように内部抽選を行い、
前記リール制御手段が、
前記複数種類の特殊小役群のいずれかが前記通常小役と重複して当選した遊技では、入賞判定ライン上に表示可能となる当選役の入賞形態を示す図柄組合せの種類が最も多くなるようにリールを停止させる制御を行うか否かを、前記複数のリールの各リールを停止させるための停止操作の順序に応じて決定することを特徴とする遊技機。
【手続補正２】
【補正対象書類名】明細書
【補正対象項目名】発明の名称
【補正方法】変更
【補正の内容】
【発明の名称】遊技機